(57)【要約】      （修正有）【課題】バストに直接粘着して使用しても、湿疹や汗疹等の心配が少ないブラジャーを提供する。【解決手段】左右がほぼ対称となるように形成された一対のカップ本体１を、ほぼ椀状に成形された弾性素材からなる中間層３と、吸湿性を有する織布や不織布からなり、かつバストに直接接触する裏面層４と、中間層と裏面層との間に設けられた粘着剤層５とから構成すると共に、裏面層の一部に、粘着剤層を露出させる透孔４ａを形成したもので、裏面層に形成された透孔より露出した粘着剤層のみが使用者の皮膚に直接接触するため、従来のカップの裏面全体に粘着剤層を設けたものに比べて、粘着剤層が皮膚に触れる面積が極めて少ないので、粘着剤層により皮膚がかぶれて、肌荒れや湿疹の原因になる心配がない。【選択図】図３
0003152752.tif 000002
【実用新案登録請求の範囲】
【請求項１】
左右がほぼ対称となるように形成された一対のカップ本体を、ほぼ椀状に成形された弾性素材からなる中間層と、吸湿性を有する織布や不織布からなり、かつバストに直接接触する裏面層と、前記中間層と前記裏面層との間に設けられた粘着剤層とから構成すると共に、前記裏面層の一部に、前記粘着剤層を露出させる透孔を形成したことを特徴とするブラジャー。
【請求項２】
前記粘着剤層を前記カップ本体の外周縁に沿って環状に形成すると共に、前記粘着剤層上に位置するよう前記裏面層に、複数の透孔を間隔を存して形成してなる請求項１に記載のブラジャー。
【請求項３】
前記カップ本体の互いに近接する部分を、連結部材により互いに連結してなる請求項１または２に記載のブラジャー。
【考案の詳細な説明】
【技術分野】
【０００１】
本考案は、バストに直接粘着して使用するブラジャーに関する。
【背景技術】
【０００２】
従来のブラジャーは、バストを覆うカップ部を、両肩に掛けるストラップと、背中に巻かれるサイドバンドとにより支持するようになっているが、サイドバンドにより体が締め付けられて窮屈感があったり、肩や背中が開いた服を着用した場合、ストラップやサイドバンドが露出してファッション性を低下させる等の理由から、ストラップやサイドバンドがない粘着式のブラジャーが考案され、また実用化されている（例えば特許文献１、２）。
前記特許文献１に記載のブラジャーは、一対のブラジャーカップの内表面に、使用者の皮膚に接する内層面が設けられ、内層面の全面に使用者の皮膚に粘着できる粘着剤層が設けられていると共に、各ブラジャーカップの内側部位が連設部品により互いに連結された構成となっている。
【０００３】
また前記特許文献２に記載のブラジャーは、カップ形状のシリコーンゴム層及びシリコーンゴム層の内面に設けられた粘着性を有するシリコーンゲル層とを備えた一対のカップを、連結部により互いに連結すると共に、連結部をシリコーンゴム層と同一材料でシリコーンゴム層と一体に形成したもので、連結部の両カップとの接続部の引っ張り強度を向上させることができるため、接続部が容易に裂けるのを防止することができる等の効果を有している。
【先行技術文献】
【特許文献】
【０００４】
【特許文献１】実用新案登録第３０９５３４９号公報
【特許文献２】特開２００５−３３６６４５公報
【考案の概要】
【考案が解決しようとする課題】
【０００５】
しかし前記特許文献１や２には、何れも次のような問題がある。
すなわち粘着式のブラジャーは、バストの所定位置に粘着剤層を直接粘着させて使用するようになっているが、使用中に位置がずれたり、ずれ落ちないようにするため、粘着力の強い粘着剤が粘着剤層に使用されている。
また繰り返し使用するため、粘着したり剥がしたりする動作を繰り返しても粘着力が余り低下しないことが必要となる。
しかし粘着力が強い粘着剤や、粘着及び剥離を繰り返しても粘着力が低下しない粘着剤は、皮膚に対して刺激が強い成分を含むことが多いことから、前記特許文献１や２のブラジャーのように、カップの内面全体に粘着剤層を設けたものでは、粘着剤層が皮膚に接触する面積が大きいため、肌荒れや湿疹の原因になる問題がある。
【０００６】
一方、肩や背中が開いた服は、夏季のように気温が高い時期に着ることが多い。
このため汗をかくことが多いが、前記特許文献１や２のブラジャーのように、カップの内面全体に粘着剤層を設けたものでは、バストに汗をかいた場合、粘着剤層に汗が吸収されないため、汗疹の原因となる等の問題もある。
本考案はかかる問題を改善するためになされたもので、バストに直接粘着して使用しても、湿疹や汗疹等の心配が少ないブラジャーを提供することを目的とするものである。
【課題を解決するための手段】
【０００７】
本考案のブラジャーは、左右がほぼ対称となるように形成された一対のカップ本体を、ほぼ椀状に成形された弾性素材からなる中間層と、吸湿性を有する織布や不織布からなり、かつバストに直接接触する裏面層と、中間層と裏面層との間に設けられた粘着剤層とから構成すると共に、裏面層の一部に、粘着剤層を露出させる透孔を形成したものである。
【０００８】
前記構成により、裏面層に形成された透孔より露出した粘着剤層のみが使用者の皮膚に直接接触するため、従来のカップの裏面全体に粘着剤層を設けたものに比べて、粘着剤層が皮膚に触れる面積が極めて少ないので、粘着剤層により皮膚がかぶれて、肌荒れや湿疹の原因になる心配が少ない。
また夏季のように気温が高く汗をかきやすい時期に使用した場合、皮膚に直接触れる裏面層が吸湿性を有する織布や不織布により形成されていて汗をよく吸収するため、汗疹等の原因となることも少ない。
【０００９】
本考案のブラジャーは、粘着剤層をカップ本体の外周縁に沿って環状に形成すると共に、粘着剤層上に位置するよう裏面層に、複数の透孔を間隔を存して形成したものである。
【００１０】
前記構成により、中間層の裏面全体に粘着剤層を形成するものに比べて使用する粘着剤の量を軽減することができるため、カップ本体の軽量化が図れると共に、使用感が良好なブラジャーを安価に提供することができる。
【００１１】
本考案のブラジャーは、カップ本体の互いに近接する部分を、連結部材により連結したものである。
【００１２】
前記構成により、使用中に左右カップ本体の位置がずれたり、離れ過ぎたりすることがないと共に、ブラジャーをバストより取り外して放置しても、一方を紛失する心配がない。
【考案の効果】
【００１３】
本考案のブラジャーによれば、裏面層に形成された透孔より露出した粘着剤層のみが使用者の皮膚に直接接触するため、従来のカップの裏面全体に粘着剤層を設けたものに比べて、粘着剤層が皮膚に触れる面積が極めて少ないので、粘着剤層により皮膚がかぶれて、肌荒れや湿疹の原因になる心配が少ない。
また夏季のように気温が高く汗をかきやすい時期に使用した場合、皮膚に直接触れる裏面層が吸湿性を有する織布や不織布により形成されていて汗をよく吸収するため、汗疹等の原因となることも少ない。
【図面の簡単な説明】
【００１４】
【図１】本考案の実施の形態になるブラジャーの正面図である。
【図２】本考案の実施の形態になるブラジャーの片側のカップ本体の背面図である。
【図３】図１のＡ−Ａ線に沿う図である。
【考案を実施するための形態】
【００１５】
本考案の実施の形態を、図面を参照して詳述する。
図１に示すブラジャーは、一対のカップ本体１からなり、各カップ本体１は、左右がほぼ対称となっている。
カップ本体１は、使用する女性のバストにフィットするよう、サイズの異なるものが予め複数種類用意されており、例えばＡカップ、Ｂカップ、Ｃカップのようにサイズが決められている。
カップ本体１は、図３に示すように表面層２と中間層３、裏面層４及び中間層３と裏面層４の間に設けられた粘着剤層５とからなり、カップ本体１全体は、正面から見た場合に図１に示すようにほぼ卵形や、ほぼアーモンド形等に形成され、表面側にドーム形に盛り上がった椀形状となっていると共に、カップ本体１の外周縁は、表面層２と中間層３及び裏面層４が分離しないよう縫い糸６により縫着されている。
【００１６】
カップ本体１の材料としては、表面層２は化学繊維等の織布または不織布により形成され、中間層３は、柔軟性を有し、かつ軽量な例えば発泡ポリエステル樹脂や、発泡ポリエチレン樹脂等の発泡材料を予め椀形状に成形したものが使用されている。
裏面層４は直接肌に触れることから、肌に優しく、かつ吸湿性の高い天然繊維や化学繊維等からなる織布や不織布が使用されており、バストによくフィットするよう伸縮性を有する素材が使用されている。
中間層３と裏面層４との間に設けられた粘着剤層５は、皮膚によく粘着し、かつ粘着及び剥離を繰り返しても粘着力の低下が少ない粘着剤、例えばシリコーンゲルが使用されている。
【００１７】
シリコーンゲルよりなる粘着剤層５は、図２の破線で示すようにカップ本体１の外周縁に沿って環状となるよう中間層３の裏面に形成されており、中間層３を覆うように設けられた裏面層４には、粘着剤層５が露出するよう透孔４ａが、環状の粘着剤層５上に位置するよう複数形成されている。
透孔４ａは円形や楕円形等の適宜形状からなり、環状の粘着剤層５上に間隔を存して多数形成されていて、透孔４ａの周縁は繊維がほつれないよう縫い糸７によりステッチ縫いされており、これら透孔４ａより露出した粘着剤層５により、カップ本体１がバストの所定位置に粘着されるようになっている。
【００１８】
次に前記構成されたブラジャーの使用方法を説明する。
ブラジャーの使用に当っては、一対のカップ本体１を使用者のバストに直接粘着させるが、使用者のバストのサイズに合わないと違和感が生じるので、予め使用者のバストサイズに合ったカップ本体１を選択し、購入する。
購入したブラジャーを使用する場合、まずカップ本体１の裏面層４に形成された透孔４ａより露出する粘着剤層５が他のものに粘着しないように保護のために粘着してある剥離紙（図示せず）を取り除く。
次に下着や服を着用する前にカップ本体１の裏面層４側をバスト側として、カップ本体１をバストの所定位置に押し付けて装着するが、すでに下着や服を着用している場合は、下着や服の裾を捲りあげてバストを露出し装着するか、下着や服とバストの間に隙間を形成し、下着や服の裾から挿入したカップ本体１をバストの所定位置に押し付けて装着する。
【００１９】
これによって透孔４ａより露出した粘着剤層５がバストの肌に直接粘着するため、カップ本体１を押さえている手を外してもカップ本体１が脱落することがなく、また複数の透孔４ａより露出した粘着剤層５が皮膚へと粘着するため、上に着た服が摺れる等してカップ本体１に外力が作用しても、カップ本体１がバストよりずれたり、ずれ落ちる心配がほとんどない。
また従来のカップの裏面全体に粘着剤層５を設けたものに比べて、粘着剤層５が皮膚に触れる面積が極めて少ないので、粘着剤層５により皮膚がかぶれて、肌荒れや湿疹の原因になる心配もないと共に、下着や服の裾から手を挿入して、バストよりカップ本体１を簡単に取り外すこともできる。
【００２０】
一方夏季のように気温が高く汗をかきやすい時期に使用した場合、皮膚に直接触れる裏面層４が吸湿性を有する織布や不織布により形成されていて汗をよく吸収するため、汗疹等の原因となることも少ない。
また粘着剤層５には、粘着剥離を繰り返しても粘着力を有するシリコーンゲル等を使用しているため、長期間に亘ってブラジャーを使用できるため経済的である上、洗濯しても粘着力が低下することが少ないので、繰り返し洗濯しても使用不能になることが少ない。
【００２１】
なお前記実施の形態では、左右のカップ本体１がそれぞれ独立した形態となっているが、カップ本体１の互いに近接する部分を連結部材により連結するようにしてもよい。
また粘着剤層５を露出させる透孔４ａを円形や楕円形としたが、粘着剤層５を露出させることができれば、その形状に限定を受けるものではない。
さらに織布や不織布からなる表面層２を省略し、中間層３の前面が表面になるようにしてもよい。
【符号の説明】
【００２２】
１    カップ本体
２    表面層
３    中間層
４    裏面層
４ａ    透孔
５    粘着剤層
【図１】
0003152752.tif 000003
【図２】
0003152752.tif 000004
【図３】
0003152752.tif 000005